(57)【要約】【課題】  洗濯を繰り返しても、確実にほつれを防止することができるとともに見た目が美しい水着用カップを提供する。【解決手段】  熱可塑性樹脂材11から構成され、周端縁３にほつれ防止用の熱融着帯部４が形成されている。周端縁３の最外端縁部５が熱溶断にて形成されている。また、中間部７に、熱融着模様８及び熱溶断貫通模様９が形成されている。【選択図】  図８
2006089855.tif 000002
【特許請求の範囲】
【請求項１】
熱可塑性樹脂材（11）から構成され、周端縁（３）にほつれ防止用の熱融着帯部（４）が形成され、かつ、該周端縁（３）の最外端縁部（５）が熱溶断にて形成されていることを特徴とする水着用カップ。
【請求項２】
熱可塑性樹脂材（11）から構成され、中間部（７）に、熱融着模様（８）及び／又は熱溶断貫通模様（９）が形成されていることを特徴とする水着用カップ。
【請求項３】
熱可塑性樹脂材（11）から構成し、周端縁（３）に、超音波によって、ほつれを防止する熱融着と飾り（12）を形成する熱溶断を、同時に行なうことを特徴とする水着用カップの製法。
【請求項４】
熱可塑性樹脂材（11）から構成し、周端縁（３）に、超音波によって、ほつれを防止する熱融着と飾り（12）を形成する熱溶断を、同時に行なうと共に、上記熱融着と熱溶断を行なった超音波装置にて、中間部（７）に、熱融着及び／又は熱溶断にて、模様（10）を形成することを特徴とする水着用カップの製法。
【発明の詳細な説明】
【技術分野】
【０００１】
本発明は、水着用カップ及びその製法に関する。
【背景技術】
【０００２】
一般に、女性用の水着は、胸を保護するための水着用カップ（例えば、特許文献１参照）を有する。
【０００３】
しかし、周端縁がカットされたものは、ほつれやすいという欠点があった。また、ほつれを防止するために周端縁を縫製したものは、見た目が良くないという欠点があった。
【特許文献１】特開平７−２９２５０５号公報
【発明の開示】
【発明が解決しようとする課題】
【０００４】
解決しようとする課題は、何度も洗濯をするうちに、周端縁がほつれる点である。また、見た目が悪く、安っぽい印象を与えるという点である。
【課題を解決するための手段】
【０００５】
そこで、本発明に係る水着用カップは、熱可塑性樹脂材から構成され、周端縁にほつれ防止用の熱融着帯部が形成され、かつ、該周端縁の最外端縁部が熱溶断にて形成されているものである。また、熱可塑性樹脂材から構成され、中間部に、熱融着模様及び／又は熱溶断貫通模様が形成されているものである。
【０００６】
また、本発明に係る水着用カップの製法は、熱可塑性樹脂材から構成し、周端縁に、超音波によって、ほつれを防止する熱融着と飾りを形成する熱溶断を、同時に行なう方法である。また、熱可塑性樹脂材から構成し、周端縁に、超音波によって、ほつれを防止する熱融着と飾りを形成する熱溶断を、同時に行なうと共に、上記熱融着と熱溶断を行なった超音波装置にて、中間部に、熱融着及び／又は熱溶断にて、模様を形成する方法である。
【発明の効果】
【０００７】
本発明の水着用カップによれば、洗濯を繰り返しても、確実にほつれを防止することができるとともに、見た目が美しく、購入前にカップの大きさを選択する時や、水着本体から取り外して洗濯する時等に、おしゃれな感じがして、気分が良い。また、高級感がある。
また、本発明の水着用カップの製法によれば、洗濯を繰り返してもほつれずかつ美しい水着用カップを製造することができる。また、工程数が少なく、生産性が良い。
【発明を実施するための最良の形態】
【０００８】
図１・図２は、本発明の第１の実施の形態の使用状態を示す。すなわち、この水着用カップＳは、水着本体Ｗに着脱自在に付設されている。具体的には、水着本体Ｗは、水着用カップＳを収納するための収納袋部Ｐを有する。そして、購入前にカップの大きさを選択して、水着用カップＳを収納袋部Ｐに入れて使用する。洗濯をするときは、水着用カップＳを、水着本体Ｗから取り外して、洗濯する。
【０００９】
図３は、第１の実施の形態を示す。この水着用カップＳは、熱可塑性樹脂材11（特に、化学繊維）から構成されている。具体的には、発泡ウレタン（ポリウレタン）、又は、積層させた不織布から成るシート体１（図７参照）の表て面１ａ及び裏面１ｂに、ポリエステルから成る布体２（織布又は不織布）が積層されている。周端縁３にほつれ防止用の熱融着帯部４が形成され、かつ、周端縁３の最外端縁部５が熱溶断にて形成されている。熱融着帯部４の厚さｔ1 （図７参照）は、他の部分の厚さｔ0 よりも薄くなっている。最外端縁部５は、複数の円弧をつないだ形状に形成されている。
【００１０】
次に、第１の実施の形態の水着用カップの製法について説明する。
まず、図４に示すように、熱可塑性樹脂材11から成る板状体Ａ───具体的には、発泡ウレタン、又は、積層させた不織布から成るシート体１（図５参照）の表て面１ａ及び裏面１ｂに、ポリエステルから成る布体２が積層されたもの───を所定寸法の複数の矩形シート体Ｂに裁断する。図４では、２点鎖線にて示すように、２個の水着用カップＳ（図３参照）を製造する分の大きさの矩形シート体Ｂに裁断している。板状体Ａ（矩形シート体Ｂ）の厚さＴ（図５参照）は、10mm≦Ｔ≦15mmに設定されている。Ｔ＜10mmの場合、水着用カップＳが胸を確実に保護できない虞れがある。また、15mm＜Ｔの場合、使用時のフィット感が悪くなる虞れがある。
【００１１】
次に、図５・図６に示すように、矩形シート体Ｂを上金型Ｘと下金型Ｙにて加熱圧縮成形することにより、２個の椀部６を形成する。その後、図６（Ａ）の２点鎖線にて示すように椀部６を切り離す。図６（Ｂ）は、椀部６を切り離した状態を示す。図７に示すように、周端縁３に、超音波によって───詳しくは、超音波振動を与えながら加圧して───ほつれを防止する熱融着と飾り12（すなわち、熱融着帯部４及び最外端縁部５）を形成する熱溶断を、同時に行なう。この時、熱融着帯部４が形成される。
【００１２】
図８・図９は、第２の実施の形態を示す。中間部７に、波型の熱融着模様８、及び、花びら型や円形の熱溶断貫通模様９が形成されている。熱融着帯部４の厚さｔ1 、熱融着模様８の厚さｔ2 、及び、熱溶断貫通模様９の厚さｔ3 は、他の部分の厚さｔ0 よりも薄くなっている。そして、全体的に見た時に、凹凸感があり、インパクトがある。
【００１３】
次に、第２の実施の形態の水着用カップの製法について説明する。
周端縁３に、超音波によって、ほつれを防止する熱融着と飾り12を形成する熱溶断を、同時に行なうと共に、熱融着と熱溶断を行なった超音波装置（図示省略）にて、中間部７に、熱融着及び熱溶断にて、模様10を形成する。熱融着にて形成された模様10は熱融着模様８となる。また、熱溶断にて形成された模様10は熱溶断貫通模様９となる。
【００１４】
なお、本発明に於て、「熱融着」とは、熱によって、素材を溶かしつつ、複数の素材を相互に固着することをいうと定義する。また、「熱溶断」とは、熱融着し、かつ、最終的に、熱融着部によって区分けされた一方と他方を離間させることをいうと定義する。
【００１５】
本発明は、設計変更可能であって、例えば、周端縁３に、ヒーターや高周波装置によって、熱融着帯部４が形成されているものであっても良い。また、中間部７に、熱融着模様８又は熱溶断貫通模様９のいずれかが形成されているも良い。また、シート体１は、発泡ウレタン、積層させた不織布以外の熱可塑性樹脂から成るも良い。また、布体２は、ポリエステル以外の熱可塑性樹脂から成るも良い。また、飾り12を直線状とするも良い。また、熱融着模様８や熱溶断貫通模様９の形状は任意である。
【００１６】
以上のように、本発明は、熱可塑性樹脂材11から構成され、周端縁３にほつれ防止用の熱融着帯部４が形成され、かつ、周端縁３の最外端縁部５が熱溶断にて形成されているので、洗濯を繰り返しても、確実に周端縁３のほつれを防止することができるとともに、見た目が美しく、購入前にカップの大きさを選択する時や、水着本体Ｗから取り外して洗濯する時等に、おしゃれな感じがして、気分が良い。また、高級感がある。
また、熱可塑性樹脂材11から構成され、中間部７に、熱融着模様８及び／又は熱溶断貫通模様９が形成されているので、洗濯を繰り返しても、確実に模様10（すなわち、熱融着模様８及び／又は熱溶断貫通模様９）のほつれを防止することができる。また、見た目が美しく、購入前にカップの大きさを選択する時や、水着本体Ｗから取り外して洗濯する時等に、おしゃれな感じがして、気分が良い。また、高級感がある。また、全体的に見た時に、凹凸感があり、インパクトがあるので、購入者の目をひきやすい。
【００１７】
また、熱可塑性樹脂材11から構成し、周端縁３に、超音波によって、ほつれを防止する熱融着と飾りを形成する熱溶断を、同時に行なうので、洗濯を繰り返しても周端縁３がほつれずかつ美しい水着用カップＳを製造することができる。また、工程数が少なく、生産性が良い。
また、熱可塑性樹脂材11から構成し、周端縁３に、超音波によって、ほつれを防止する熱融着と飾りを形成する熱溶断を、同時に行なうと共に、熱融着と熱溶断を行なった超音波装置にて、中間部７に、熱融着及び／又は熱溶断にて、模様10を形成するので、洗濯を繰り返しても模様10がほつれずかつ美しい水着用カップＳを製造することができる。また、工程数が少なく、生産性が良い。
【図面の簡単な説明】
【００１８】
【図１】本発明の第１の実施の形態の使用状態を示す正面図である。
【図２】図１のＥ−Ｅ断面図である。
【図３】正面図である。
【図４】板状体Ａを示す平面図である。
【図５】製法を示す説明用側面図である。
【図６】製法を示す説明用側面図である。
【図７】製法を示す説明用側面図である。
【図８】第２の実施の形態を示す正面図である。
【図９】図８のＧ−Ｇ端面断面図である。
【符号の説明】
【００１９】
３  周端縁
４  熱融着帯部
５  最外端縁部
７  中間部
８  熱融着模様
９  熱溶断貫通模様
10  模様
11  熱可塑性樹脂材
12  飾り
【図１】
2006089855.tif 000003
【図２】
2006089855.tif 000004
【図３】
2006089855.tif 000005
【図４】
2006089855.tif 000006
【図５】
2006089855.tif 000007
【図６】
2006089855.tif 000008
【図７】
2006089855.tif 000009
【図８】
2006089855.tif 000010
【図９】
2006089855.tif 000011